【手続補正書】
【提出日】平成18年9月12日(2006.9.12)
【手続補正１】
【補正対象書類名】特許請求の範囲
【補正対象項目名】全文
【補正方法】変更
【補正の内容】
【特許請求の範囲】
【請求項１】
遊技媒体を使用した遊技時に入賞率を通常時より高めた第１の大当たり状態及び第２の大当たり状態が発生可能な遊技機に係る稼動データを各遊技機別に区分して集計管理する遊技場用データ管理システムにおいて、
前記第１の大当たり状態が発生するまでの期間の稼動データ並びに当該大当たり状態期間中の稼動データに基づいて作成した第１大当たり履歴データを出力する第１出力機能と、前記第２の大当たり状態が発生するまでの期間の稼動データ並びに当該大当たり状態期間中の稼動データに基づいて作成した第２大当たり履歴データを出力する第２出力機能とを備えたデータ出力手段と、
前記第１大当たり履歴データ及び第２大当たり履歴データを所定日数分にわたって蓄積するデータ蓄積手段と、
前記遊技機と対応した位置に遊技客側から目視可能な状態で設置されたデータ表示手段とを備え、
前記データ出力手段は、前記各遊技機における前記第１の大当たり状態及び第２の大当たり状態の特性比較が可能な遊技客向けデータを前記データ蓄積手段の蓄積データに基づいて作成して前記データ表示手段へ出力する第３出力機能を備えていることを特徴とする遊技場用データ管理システム。
【請求項２】
前記データ出力手段は、前記第１大当たり履歴データと第２大当たり履歴データを並べて表示することを特徴とする請求項１記載の遊技場用データ管理システム。
【請求項３】
前記データ出力手段に備えられた前記第１出力機能には、前記第１大当たり履歴データを同一機種の遊技機について平均した第１の平均大当たり履歴データを出力する機能が付加され、
前記データ出力手段に備えられた前記第２出力機能には、前記第２大当たり履歴データを同一機種の遊技機について平均した第２の平均大当たり履歴データを出力する機能が付加されていることを特徴とする請求項１または２記載の遊技場用データ管理システム。
【請求項４】
前記遊技機は複数の電動役物を備えたパチンコ遊技機であることを特徴とする請求項１ないし３の何れかに記載の遊技場用データ管理システム。
【手続補正２】
【補正対象書類名】明細書
【補正対象項目名】０００７
【補正方法】変更
【補正の内容】
【０００７】
請求項１記載の発明は、上記目的を達成するために、遊技媒体を使用した遊技時に入賞率を通常時より高めた第１の大当たり状態及び第２の大当たり状態が発生可能な遊技機に係る稼動データを各遊技機別に区分して集計管理する遊技場用データ管理システムにおいて、
前記第１の大当たり状態が発生するまでの期間の稼動データ並びに当該大当たり状態期間中の稼動データに基づいて作成した第１大当たり履歴データを出力する第１出力機能と、前記第２の大当たり状態が発生するまでの期間の稼動データ並びに当該大当たり状態期間中の稼動データに基づいて作成した第２大当たり履歴データを出力する第２出力機能とを備えたデータ出力手段と、前記第１大当たり履歴データ及び第２大当たり履歴データを所定日数分にわたって蓄積するデータ蓄積手段と、前記遊技機と対応した位置に遊技客側から目視可能な状態で設置されたデータ表示手段とを備えた上で、前記データ出力手段を、前記各遊技機における前記第１の大当たり状態及び第２の大当たり状態の特性比較が可能な遊技客向けデータを前記データ蓄積手段の蓄積データに基づいて作成して前記データ表示手段へ出力する第３出力機能を備えた構成としたものである。
【手続補正３】
【補正対象書類名】明細書
【補正対象項目名】０００８
【補正方法】変更
【補正の内容】
【０００８】
請求項２記載の発明は、前記データ出力手段を、前記第１大当たり履歴データと第２大当たり履歴データを並べて表示する構成としたものである。
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】変更
【補正の内容】
【００１０】
また、請求項３記載の発明のように、前記データ出力手段に備えられた前記第１出力機能に対し、前記第１大当たり履歴データを同一機種の遊技機について平均した第１の平均大当たり履歴データを出力する機能を付加すると共に、前記データ出力手段に備えられた前記第２出力機能に対し、前記第２大当たり履歴データを同一機種の遊技機について平均した第２の平均大当たり履歴データを出力する機能を付加しても良い。
【手続補正６】
【補正対象書類名】明細書
【補正対象項目名】００１１
【補正方法】変更
【補正の内容】
【００１１】
請求項４記載の発明のように、前記遊技機は複数の電動役物を備えたパチンコ遊技機であっても良い。
【手続補正７】
【補正対象書類名】明細書
【補正対象項目名】００１２
【補正方法】変更
【補正の内容】
【００１２】
請求項１記載の発明によれば、遊技機に係る稼働データを各遊技機別に区分して集計管理するために設けられたデータ出力手段には、遊技機で第１の大当たり状態が発生するまでの期間の稼動データ並びに当該大当たり状態期間中の稼動データに基づいて作成した第１大当たり履歴データを出力する第１出力機能と、当該遊技機で第２の大当たり状態が発生するまでの期間の稼動データ並びに当該大当たり状態期間中の稼動データに基づいて作成した第２大当たり履歴データを出力する第２出力機能とが設けられているから、それら第１及び第２の大当たり状態が発生したときの各大当たり履歴データを互いに区分した状態で出力できる。従って、２以上の大当たり状態が発生可能な新しい形態のパチンコ遊技機が管理対象であった場合でも、各大当たり状態に係るデータの個別管理を容易に行い得るようになり、以て、各大当たり状態についてのデータ分析を容易且つ正確に行い得るようになる。また、前記第１及び第２の大当たり履歴データに基づいて、各大当たり状態が発生したときの遊技特性及びその傾向を容易に把握できるようになる。
【手続補正８】
【補正対象書類名】明細書
【補正対象項目名】００１３
【補正方法】変更
【補正の内容】
【００１３】
さらに、データ蓄積手段が、前記第１大当たり履歴データ及び第２大当たり履歴データを所定日数分にわたって蓄積すると共に、データ出力手段が、前記各遊技機における前記第１の大当たり状態及び第２の大当たり状態の特性比較が可能な遊技客向けデータを上記のようなデータ蓄積手段の蓄積データに基づいて作成するようになり、このように作成された遊技客向けデータが、遊技機と対応した位置に設置されたデータ表示手段を通じて遊技客側に提供されることになるから、遊技客側においても遊技機における各大当たり状態の傾向をある程度把握することが可能になり、以て、遊技に対する興趣の向上ひいては遊技客の来店率の向上を図る上で有益になる。
【手続補正９】
【補正対象書類名】明細書
【補正対象項目名】００１４
【補正方法】変更
【補正の内容】
【００１４】
請求項２記載の発明によれば、前記第１大当たり履歴データと第２大当たり履歴データが並べて表示されるから、各履歴データの比較を容易に行い得るようになる。
【手続補正１０】
【補正対象書類名】明細書
【補正対象項目名】００１５
【補正方法】変更
【補正の内容】
【００１５】
請求項３記載の発明によれば、同一機種の遊技機についての第１大当たり履歴データ及び第２大当たり履歴データをそれぞれ平均した第１の平均大当たり履歴データ及び第２の平均大当たり履歴データが出力されることになるから、それら各平均大当たりデータを、第１及び第２大当たり履歴データの分析時においてその分析の目安となる標準的なデータとして利用できるようになり、以て遊技機で発生した各大当たり状態についてのデータ分析の信頼性を高め得るようになる。
【手続補正１１】
【補正対象書類名】明細書
【補正対象項目名】００１６
【補正方法】変更
【補正の内容】
【００１６】
請求項４記載の発明によれば、管理対象が複合パチンコ遊技機であっても上述したような効果を得ることができる。